【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
コンピュータ実行方法であって、
元のビジネスプロセス（５６２，５６４，６５２）を記憶するビジネスプロセスメタリポジトリ（２９０，５６０，６５０）を提供し、前記ビジネスプロセスメタリポジトリ（２９０，５６０，６５０）がビジネスプロセス（５６２，５６４，６５２）を複数のバックエンドシステム（１８０，６０２，６０４）に利用可能とするために複数のバックエンドシステム（１８０，６０２，６０４）からビジネスプロセス（５６２，５６４，６５２）を集めるステップと、
前記元のビジネスプロセス（５６２，５６４，６５２）のフェーズのコンポーネントへの提案された修正を受信するステップと、
前記複数のバックエンドシステム（１８０，６０２，６０４）に利用可能な修正されたビジネスプロセス（５６２，５６４，６５２）を生成するために、前記ビジネスプロセスメタリポジトリ（２９０，５６０，６５０）に前記提案された修正とともに前記元のビジネスプロセス（５６２，５６４，６５２）のコピーを記憶するステップと、
を有する方法。
【請求項２】
前記元のビジネスプロセス（５６２，５６４，６５２）を記憶するビジネスプロセスメタリポジトリ（２９０，５６０，６５０）を提供するステップは、
前記元のビジネスプロセス（５６２，５６４，６５２）のオブジェクトを前記ビジネスプロセスメタリポジトリ（２９０，５６０，６５０）のオブジェクトと同期させるビジネスプロセスメタリポジトリ（２９０，５６０，６５０）を提供するステップをさらに有する請求項１に記載の方法。
【請求項３】
前記元のビジネスプロセス（５６２，５６４，６５２）を記憶するビジネスプロセスメタリポジトリ（２９０，５６０，６５０）を提供するステップは、
プロセス、前記プロセスと対応付けられたオブジェクト、前記オブジェクトと対応付けられたサービスを記憶するビジネスプロセスメタリポジトリ（２９０，５６０，６５０）を提供するステップをさらに有する請求項１または２に記載の方法。
【請求項４】
前記ビジネスプロセスメタリポジトリ（２９０，５６０，６５０）が複数のバックエンドシステム（１８０，６０２，６０４）からビジネスプロセス（５６２，５６４，６５２）を集めるステップは、
前記ビジネスプロセスメタリポジトリ（２９０，５６０，６５０）が、顧客関係管理（ＣＲＭ）システム、人的資源（ＨＲ）システム、企業資源計画（ＥＲＰ）システム、または財務システムを含む２つまたはより多くのシステム（６０２，６０４）のためのビジネスプロセス（５６２，５６４，６５２）を集めるステップを有する請求項１ないし３のいずれか１項に記載の方法。
【請求項５】
前記ビジネスプロセスメタリポジトリ（２９０，５６０，６５０）がビジネスプロセス（５６２，５６４，６５２）を複数のバックエンドシステム（１８０，６０２，６０４）に利用可能とするために複数のバックエンドシステム（１８０，６０２，６０４）からビジネスプロセス（５６２，５６４，６５２）を集めるステップは、
前記ビジネスプロセスメタリポジトリ（２９０，５６０，６５０）が前記複数のバックエンドシステム（１８０，６０２，６０４）内にテンプレートとして前記ビジネスプロセス（５６２，５６４，６５２）を提供するために前記ビジネスプロセス（５６２，５６４，６５２）を集めるステップを有する請求項１ないし４のいずれか１項に記載の方法。
【請求項６】
前記ビジネスプロセスメタリポジトリ（２９０，５６０，６５０）が前記複数のバックエンドシステム（１８０，６０２，６０４）内にテンプレートとして前記ビジネスプロセス（５６２，５６４，６５２）を提供するために前記ビジネスプロセス（５６２，５６４，６５２）を集めるステップは、
複合アプリケーションフレームワーク（１００，２４０）が複合プロセスを生成するように、前記複合アプリケーションフレームワーク（１００，２４０）に前記ビジネスプロセス（５６２，５６４，６５２）の１つのコンポーネントを提供するために、前記ビジネスプロセスメタリポジトリが前記ビジネスプロセス（５６２，５６４，６５２）を集めるステップをさらに有し、前記複合プロセスは前記複合プロセスの１つのコンポーネントとして前記ビジネスプロセス（５６２，５６４，６５２）の１つのコンポーネントを有する請求項５に記載の方法。
【請求項７】
元のビジネスプロセス（５６２，５６４，６５２）を記憶するビジネスプロセスメタリポジトリ（２９０，５６０，６５０）を提供し、前記ビジネスプロセスメタリポジトリ（２９０，５６０，６５０）がビジネスプロセス（５６２，５６４，６５２）を複数のバックエンドシステム（１８０，６０２，６０４）に利用可能とするために複数のバックエンドシステム（１８０，６０２，６０４）からビジネスプロセスを集める処理と、
前記元のビジネスプロセス（５６２，５６４，６５２）のフェーズのコンポーネントへの提案された修正を受信する処理と、
前記複数のバックエンドシステム（１８０，６０２，６０４）に利用可能な修正されたビジネスプロセス（５６２，５６４，６５２）を生成するために、前記ビジネスプロセスメタリポジトリ（２９０，５６０，６５０）に前記提案された修正とともに前記元のビジネスプロセス（５６２，５６４，６５２）のコピーを記憶する処理と、
を含む処理を実行する機械となるように命令を与えるために記憶されたコンテンツを有する機械読み取り可能な媒体を含む製品。
【請求項８】
前記元のビジネスプロセス（５６２，５６４，６５２）を記憶するビジネスプロセスメタリポジトリ（２９０，５６０，６５０）を提供する処理のためのコンテンツは、
前記元のビジネスプロセス（５６２，５６４，６５２）のオブジェクトを前記ビジネスプロセスメタリポジトリ（２９０，５６０，６５０）のオブジェクトと同期させるビジネスプロセスメタリポジトリ（２９０，５６０，６５０）を提供する処理のためのコンテンツをさらに含む請求項７に記載の製品。
【請求項９】
前記元のビジネスプロセス（５６２，５６４，６５２）を記憶するビジネスプロセスメタリポジトリ（２９０，５６０，６５０）を提供する処理のためのコンテンツは、
プロセス、前記プロセスと対応付けられたオブジェクト、前記オブジェクトと対応付けられたサービスを記憶するビジネスプロセスメタリポジトリ（２９０，５６０，６５０）を提供する処理のためのコンテンツをさらに含む請求項７または８に記載の製品。
【請求項１０】
前記ビジネスプロセスメタリポジトリ（２９０，５６０，６５０）が複数のバックエンドシステム（１８０，６０２，６０４）からビジネスプロセス（５６２，５６４，６５２）を集める処理のためのコンテンツは、
前記ビジネスプロセスメタリポジトリ（２９０，５６０，６５０）が、顧客関係管理（ＣＲＭ）システム、人的資源（ＨＲ）システム、企業資源計画（ＥＲＰ）システム、または財務システムを含む２つまたはより多くのシステム（６０２，６０４）のためのビジネスプロセス（５６２，５６４，６５２）を集める処理のためのコンテンツを含む請求項７ないし９のいずれか１項に記載の製品。
【請求項１１】
前記ビジネスプロセスメタリポジトリ（２９０，５６０，６５０）がビジネスプロセス（５６２，５６４，６５２）を複数のバックエンドシステム（１８０，６０２，６０４）に利用可能とするために複数のバックエンドシステム（１８０，６０２，６０４）からビジネスプロセス（５６２，５６４，６５２）を集める処理のためのコンテンツは、
前記ビジネスプロセスメタリポジトリ（２９０，５６０，６５０）が前記複数のバックエンドシステム（１８０，６０２，６０４）内にテンプレートとして前記ビジネスプロセス（５６２，５６４，６５２）を提供するために前記ビジネスプロセス（５６２，５６４，６５２）を集める処理のためのコンテンツを含む請求項７ないし１０のいずれか１項に記載の製品。
【請求項１２】
前記ビジネスプロセスメタリポジトリ（２９０，５６０，６５０）が前記複数のバックエンドシステム（１８０，６０２，６０４）内にテンプレートとして前記ビジネスプロセス（５６２，５６４，６５２）を提供するために前記ビジネスプロセス（５６２，５６４，６５２）を集める処理のためのコンテンツは、
複合アプリケーションフレームワーク（１００，２４０）が複合プロセスを生成するように、前記複合アプリケーションフレームワーク（１００，２４０）に前記ビジネスプロセス（５６２，５６４，６５２）の１つのコンポーネントを提供するために、前記ビジネスプロセスメタリポジトリが前記ビジネスプロセス（５６２，５６４，６５２）を集める処理のためのコンテンツをさらに含み、前記複合プロセスは前記複合プロセスの１つのコンポーネントとして前記ビジネスプロセス（５６２，５６４，６５２）の１つのコンポーネントを有する請求項１１に記載の製品。
【請求項１３】
第１ビジネスプロセスを有する第１バックエンド企業システム（６０２）と、
第２ビジネスプロセスを有する第２バックエンド企業システム（６０４）と、
前記第１および第２バックエンド企業システム（６０２，６０４）に結合された記憶装置と、
を具備し、
前記記憶装置は、前記第１および第２ビジネスプロセスを記憶し、かつ前記第１および第２ビジネスプロセスを前記第１および第２バックエンド企業システム（６０２，６０４）に利用可能とするビジネスプロセスメタリポジトリ（６５０）を有し、
前記ビジネスプロセスメタリポジトリ（６５０）は、前記第１および第２バックエンド企業システム（６０２，６０４）に利用可能な修正されたビジネスプロセスを生成するために、元のビジネスプロセスのフェーズのコンポーネントへの提案された修正とともに前記元のビジネスプロセスのコピーを記憶するように構成されるシステム（６００）。
【請求項１４】
前記第１および第２バックエンド企業システム（６０２，６０４）は互換性のないソフトウェアを実行し、
前記記憶装置は、前記第１および第２バックエンド企業システム（６０２，６０４）の両方においてインスタンス生成されることが可能な前記第１および第２ビジネスプロセスのバージョンを生成するために、前記第１および第２ビジネスプロセスの基本要素となるコンポーネントとしてのビジネスオブジェクトをさらに有する請求項１３に記載のシステム（６００）。
【請求項１５】
前記第１および第２バックエンド企業システム（６０２，６０４）は、顧客関係管理（ＣＲＭ）システム、人的資源（ＨＲ）システム、企業資源計画（ＥＲＰ）システム、または財務システムの中から選択される請求項１３または１４に記載のシステム（６００）。